(57)【要約】【課題】単一の光源で上下両面の液晶面板を照射し、同時に両面を表示する両面式バックライトモジュールを提供する。【解決手段】両面式バックライトモジュールは、反射光カバー上に設置されるもので、反射光カバーと拡散板の間に複数設置されるライト管、拡散板、光学膜片、液晶面板が順に設置される。そのうち、反射光カバー底には透光窓が設置され、その透光窓の外には光調節板、光学膜片、第二液晶面板が順に設置される。光線が上下の液晶面板と第二液晶面板に均一に照射し、画面に表示されるだけでなく、光源の利用率を高める。【選択図】図2
0003111488.tif 000002
【実用新案登録請求の範囲】
【請求項１】
反射光カバー上に光源ユニット、拡散板、光学膜片、及び液晶面板が順に設置され、そのうち各光源は直線状もしくはU字型もしくはその他湾曲形状のライト管で、適する間隔で反射光カバーと拡散板の間に設置される両面式バックライトモジュールにおいて、
この反射光カバー底面には透光窓が設置され、その透光窓の外側には光調節板、光学膜片、第二液晶面板が順に設置され、各ライト管は反射光カバー左右両内側に光調節機能を具えた支持構造が各ライト管に固定され、その支持構造は上下左右に一個以上の光調節機能を具えた支持部品が設置され、各ライト管の光線は上方の拡散板、光学膜片、そして下方の光調節板、光学膜片を通り、上下の液晶面板と第二液晶面板に照射され、両面発光機能を具えることを特徴とする両面式バックライトモジュール。
【請求項２】
前記光学膜片は、プリズム片、反射片及び偏光片を含むことを特徴とする請求項1記載の両面式バックライトモジュール。
【請求項３】
前記支持構造は、上挟持体、下挟持体から構成され、上下左右から各ライト管を包み、定位構造によって、上下左右が固定されることを特徴とする請求項1記載の両面式バックライトモジュール。
【請求項４】
前記定位構造は、上下左右挟持体が相対するネジ孔及びネジ孔に差し込むネジによって構成されるか、もしくは相互に嵌合される定位柱及び差込孔によって構成されることを特徴とする請求項3記載の両面式バックライトモジュール。
【請求項５】
前記光調節板とライト管の間は、光反射及び透光機能を具えた膜片を設置することを特徴とする請求項1記載の両面式バックライトモジュール。
【請求項６】
前記反射光カバーは、左右両内側の透光窓に近い箇所に回転軸を設置し、この回転軸によって反射板が透光窓を遮蔽、もしくは開放することを特徴とする請求項1記載の両面式バックライトモジュール。
【請求項７】
前記各支持部品は、支持構造と一体成型することを特徴とする請求項1記載の両面式バックライトモジュール。
【請求項８】
前記各支持部晶は、ネジを支持構造上に予め設置されたネジ孔上、もしくは支持構造上に予め設置された差込孔上に差し込むことを特徴とする請求項1記載の両面式バックライトモジュール。
【請求項９】
前記支持構造は、材質が完全反射、半反射半透光もしくは、完全透光材質から作られることを特徴とする請求項1記載の両面式バックライトモジュール。
【請求項１０】
前記各支持部品は、材質が完全反射、半反射半透光もしくは、完全透光材質から作られることを特徴とする請求項1記載の両面式バックライトモジュール。
【考案の詳細な説明】
【技術分野】
【０００１】
本考案は、両面式バックライトモジュールに関するもので、単一の光源で上下両面の液晶面板を照射し、同時に画面を表示するものである。
【背景技術】
【０００２】
図1に示すとおり、一般的なバックライトモジュールは、内から外に向かって反射光カバー1、光源ユニット、拡散板2、光学膜片3、そして液晶面板4から構成される。そのうち、光源は直線型もしくはU字型もしくはその他連続湾曲形状のライト管5とし、適する間隔で反射光カバー1と拡散板2の間に設置する。液晶モジュールの表示効果は、各ライト管5から放出する光線によって構成される。また、拡散板2と光学膜片3によって、通過した光線が拡散する。各ライト管5の間には光が届かない部分が発生し、それが液晶面板上で明暗区免象を発生させる。
【０００３】
しかしながら、このライト管5から発する光線は八方に照射されるが、液晶面板4はバックライトモジュールの一側面にだけ設置されているため、ライト管5の光は反射カバー1によって、反射され、一側面に利用されるだけで、光線の利用率を落としている。
【考案の開示】
【考案が解決しようとする課題】
【０００４】
解決しようとする問題点は、液品面板がバックライトモジュールの一側面だけに設置されているため、光源の利用率が低い点である。
【課題を解決するための手段】
【０００５】
本考案は、反射光カバー上に設置されるもので、反射光カバーと拡散板の間に複数設置されるライト管、拡散板、光学膜片、液晶面板が順に設置される。そのうち、反射光カバー底には透光窓が設置され、その透光窓の外には光調節板、光学膜片、第二液品面板が順に設置される。光線が上下の液晶面板と第二液晶面板に均一に照射し、画面に表示されるだけでなく、光源の利用率を高めることを最も主要な特徴とする。
【考案の効果】
【０００６】
本考案の両面式バックライトモジュールは、単一の光源で上下両面の液晶面板を照射し、同時に画面を表示するという利点がある。
【考案を実施するための最良の形態】
【０００７】
以下、本考案の実施例について、図面を参照しながら説明する。
【実施例１】
【０００８】
図2に示すとおり、本考案の両面式バックライトモジュール10は、反射光カバー1上に、光源ユニット、拡散板2、光学膜片3(本考案実施例では光学膜片にはプリズム片、反射片及び偏光片を含む)、そして液品面板4の順に設置される。そのうち、光源ユニットは直線型もしくはU字型もしくはその他連続湾曲形状のライト管5で、適する間隔で反射光カバー4と拡散板5の間に設置される。
【０００９】
反射光カバー1底部には透光窓11が設置され、その透光窓11の外部には光調節板2′(この光調節板は白色透明の板片もしくは拡散効果を具えた板片である)、光学膜片3、第二液晶面板4′の順に設置される。また各ライト管5は反射光カバー4左右両側に設置した支持構造6によって、各ライト管5が固定される。図3に示すとおり、この支持構造6は、光調節機能を具えた上・下挟持体61,62から構成される。その材質は完全反射、半反射半透光もしくは完全透光の特質を具える。上・下挟持体61,62は、各ライト管5と接触し、ライト管5を外から覆っており、定位構造によって、上・下挟持体61,62が固定される。更にライト管5を更にしっかりと固定するため、この定位構造には図に示すとおり、上・下挟持体61,62には相互に対応するネジ孔71及びそのネジ孔71に差し込むネジ72が含まれる。図4に示すとおり、この定位構造は上・下挟持体61,62の間に相互に差し込む定位柱73及び差込孔74を含み、上・下挟持体61,62を相互に固定する。更に各ライト管5をしっかりと固定すると、単一の光源に依る光線は、上方の拡散板2光学膜片3、そして下方の光調節板2′、光学膜片3によって、上下の液晶面板4及び第二液晶面板4′に均一に射出され、両画面に表示され、且つ光源利用率を高める。
【実施例２】
【００１０】
更に光調節板2′とライト管5の間に光反射及び透光昨目を具えた膜片8を設置する。図5に示すとおり、光線はこの膜片8によって反射部分が屈折し、光源利率を更に高める。
【実施例３】
【００１１】
更に反射光カバー1左右両内側の邊光窓11近くに回転軸20を設置する。図6に示すとおり、この回転軸20は反射板9によって透光窓11を遮蔽した時、ライト管5は反射板9によって完全反射機能を具え、バックライトモジュールを単一表示機能にする。反対にこの回転軸20を反射板9によって透光窓11から外して開放すると、バックライトモジュールは両面表示機能となる。
【００１２】
この他、この支持構造は、上下左右に一個以上光調節機能を具えた支持部品63を設置する。この材質は、同様に完全反射、半反射半透光、もしくは完全透光を具えた材質から作られる。図2の実施例に示すとおり、各支持部品63は上下左右挟持体61,62と一体成型される。支持構造6の上下支持部品63の外に突出する長さは、支持構造6と拡散板2及び光調節板2′間の距離に対応し、各支持部品63は、拡散板2及び光調節板2′に対して垂直である。また支持構造6左右の支持部品63の外に突出する長さは、反射光カバー1内にちょうど掛合される長さで、拡散板2及び光調節板2′の組立が完成した後、この支持部品63は支持構造6と反射光カバー1内で支え、上方の拡散板30、光学膜片3、液晶面板4、そして下方の光調節板2′、光学膜片3、第二液品面板4′を支え、これらが陥没して変形することなく、各ライト管を定位させる。もちろん各支持部品63はネジ72を支持構造6に予め貫設したネジ孔71に差し込むか(図3参照)、支持構造6上に予め設置下差込孔74(図4参照)に差し込んでもよい。
【図面の簡単な説明】
【００１３】
【図１】公知のバックライトモジュール構造指示図である。
【図２】本考案第一実施例の構造指示図である。
【図３】本考案の支持構造と光源の組立構造分解図である。
【図４】本考案の定位構造で別実施例の構造指示図である。
【図５】本考案第二実施例の構造指示図である。
【図６】本考案第三実施例の構造指示図である。
【符号の説明】
【００１４】
10  両面式バックライトモジュール
1  反射光カバー
11  透光窓
2  拡散板
2´  光調節板
3  光学膜片
4  液晶面板
4´  第二液晶面板
5  ライト管
6  支持構造
61  上挟持体
62  下挟持体
63  支持部品
71  ネジ孔
72  ネジ
73  定位柱
74  差込孔
8  膜片
81  光調節部品
9  反射板
20  回転軸
【図１】
0003111488.tif 000003
【図２】
0003111488.tif 000004
【図３】
0003111488.tif 000005
【図４】
0003111488.tif 000006
【図５】
0003111488.tif 000007
【図６】
0003111488.tif 000008